(57)【要約】【課題】解像度の低下を抑制すること。【解決手段】撮像装置１の画像処理回路３０は、信号処理回路３１と色収差抽出回路３２と絞り制御回路３３とを有している。色収差抽出回路３２は、画像データＰＤから抽出した色収差ＣＡを出力する。絞り制御回路３３は、色収差抽出回路３２から出力される色収差ＣＡに基づいて絞り１２のＦ値（Ｆナンバー）を設定する。たとえば、絞り制御回路３３は、色収差ＣＡが最も小さいＦ値を設定する。【選択図】図１
2015220634.tif 000002
【特許請求の範囲】
【請求項１】
レンズ及び絞りを通過した光に応じた画像センサの出力データを処理する画像処理装置であって、
前記出力データを信号処理して画像データを生成する信号処理回路と、
前記画像データから色収差を抽出する色収差抽出回路と、
前記絞りのＦ値を変更して前記色収差抽出回路により抽出した前記色収差に基づいて前記Ｆ値を設定する絞り制御回路と、
を有することを特徴とする画像処理装置。
【請求項２】
前記画像データから前記色収差を抽出する複数の抽出ポイントを検出する抽出ポイント検出部と、
前記画像データの中心からの距離に基づいて前記複数の抽出ポイントのうちの１つを選択する抽出ポイント選択部と、
選択された前記抽出ポイントの色収差を抽出する色収差抽出部と、
を有することを特徴とする請求項１に記載の画像処理装置。
【請求項３】
前記信号処理回路は、前記レンズを制御してフォーカス処理を行うフォーカス制御部を含み、
前記抽出ポイント選択部は、前記フォーカス処理の情報に基づいて、ＡＦ位置に近い抽出ポイントを検出すること、
を特徴とする請求項２に記載の画像処理装置。
【請求項４】
前記絞り制御回路は、しきい値を記憶する記憶部を有し、前記色収差の変化量と前記しきい値とを比較し、比較結果に基づいて前記Ｆ値を設定すること、
を特徴とする請求項１〜３のいずれか一項に記載の画像処理装置。
【請求項５】
前記絞り制御回路は、設定範囲内の前記色収差に対応する複数の前記Ｆ値のうちの最小のＦ値を設定すること、
を特徴とする請求項１〜３のいずれか一項に記載の画像処理装置。
【請求項６】
レンズ及び絞りを通過した光に応じた画像センサの出力データを処理する画像処理装置の制御方法であって、
前記出力データを信号処理して画像データを生成し、
前記絞りのＦ値を変更して前記画像データから抽出した色収差に基づいて前記Ｆ値を設定すること、
を特徴とする画像処理装置の制御方法。
【請求項７】
レンズ及び絞りを有する撮像光学系と、
前記レンズ及び前記絞りを通過した光に応じたデータを出力する画像センサと、
前記画像センサの出力データを処理する画像処理回路と、
を有し、
前記画像処理回路は、
前記出力データを信号処理して画像データを生成する信号処理回路と、
前記画像データから色収差を抽出する色収差抽出回路と、
前記絞りのＦ値を変更して前記色収差抽出回路により抽出した前記色収差に基づいて前記Ｆ値を設定する絞り制御回路と、
を含むこと、
を特徴とする撮像装置。
【発明の詳細な説明】
【技術分野】
【０００１】
画像処理装置、画像処理装置の制御方法、撮像装置に関する。
【背景技術】
【０００２】
従来、デジタルスチルカメラなどの撮像装置は、画像センサ（イメージセンサ）を搭載し、画像センサの出力信号に基づいて画像データを生成する（たとえば、特許文献１，２参照）。画像センサは、たとえばＣＣＤ（Charge Coupled Device）やＣＭＯＳ（Complementary Metal Oxide Semiconductor）センサである。これらの画像センサには、レンズ等を含む光学系を介して、撮影する対象に基づく光が入射する。画像センサは、入射光量に応じた信号を出力する。撮像装置は、画像センサの出力信号に対して、たとえばホワイトバランス調整等の信号処理を行い、撮影対象に応じた画像データを生成する。
【先行技術文献】
【特許文献】
【０００３】
【特許文献１】特開２０１１−１６４６１４号公報
【特許文献２】特開２０１０−０８１００２号公報
【発明の概要】
【発明が解決しようとする課題】
【０００４】
ところで、上記のような撮像装置において、光学系に含まれる絞りの安易な調整は、撮像装置により得られる画像データの解像度を低下させる場合がある。解像度の低下を抑制するためには、絞りの調整に経験を必要とする。このため、撮像装置において、解像度の低下を抑制することが求められる。
【課題を解決するための手段】
【０００５】
本発明の一観点によれば、レンズ及び絞りを通過した光に応じた画像センサの出力データを処理する画像処理装置は、前記出力データを信号処理して画像データを生成する信号処理回路と、前記画像データから色収差を抽出する色収差抽出回路と、前記絞りのＦ値を変更して前記色収差抽出回路により抽出した前記色収差に基づいて前記Ｆ値を設定する絞り制御回路とを有する。
【発明の効果】
【０００６】
本発明の一観点によれば、解像度の低下を抑制することができる。
【図面の簡単な説明】
【０００７】
【図１】撮像装置の概略ブロック図である。
【図２】色収差の説明図である。
【図３】Ｆ値に対する色収差を示す特性図である。
【図４】（ａ）（ｂ）は、Ｆ値に対する色収差の特性を示す説明図である。
【図５】（ａ）（ｂ）は、絞りと色収差の関係を示す説明図である。
【図６】（ａ）（ｂ）は、色収差を検出しやすい条件の説明図である。
【図７】解像度優先の撮影モードの処理を示すフローチャートである。
【発明を実施するための形態】
【０００８】
以下、一実施形態を説明する。
図１に示す撮像装置１は、例えばデジタルスチルカメラである。この撮像装置１は、撮像光学系（光学系）１０と、画像センサ（イメージセンサ）２０と、画像処理回路３０と、メモリ４０とを有している。
【０００９】
撮像光学系１０は、たとえば、画像センサ２０等を含む装置本体に対して着脱可能なレンズ（交換レンズ）とすることができる。撮像光学系１０は、被写体からの光を集光するレンズ１１と、絞り１２とを有している。
【００１０】
レンズ１１は、固定レンズ１１ａと可動レンズ１１ｂを含む。固定レンズ１１ａと可動レンズ１１ｂは、それぞれの光軸が一致するように設けられている。また、固定レンズ１１ａと可動レンズ１１ｂの光軸は、画像センサ２０の受光面の略中央において、その受光面と直交する。可動レンズ１１ｂは、光軸方向に沿って移動可能に支持されている。可動レンズ１１ｂは、撮影画像のフォーカスを調整するためのレンズ（フォーカスレンズ）である。可動レンズ１１ｂの位置を光軸方向に移動させることにより、画像センサ２０の受光面における被写体像のフォーカスが調整される。なお、固定レンズ１１ａは、フォーカスのために制御する可動レンズ１１ｂ以外のレンズを示す。たとえばズームレンズのように、この固定レンズ１１ａに焦点距離を変更するために移動されるレンズを含むことができる。
【００１１】
絞り１２は、光軸に垂直な平面に平行に設けられる。絞り１２は、たとえば略円形の開口部を有している。そして、絞り１２は、開口部の大きさを変更可能である。絞り１２は、レンズ１１を透過する光の量を調整する。
【００１２】
画像センサ２０は、例えばベイヤ配列されたカラーフィルタと、光電変換部を含む複数の画素を備えた撮像素子とを有する。撮像素子としては、ＣＣＤ（Charge Coupled Device）画像センサやＣＭＯＳ（Complementary Metal Oxide Semiconductor）画像センサなどが用いられる。画像センサ２０は、被写体像を光電変換して撮像信号（アナログ信号）を生成する。そして、画像センサ２０は、映像信号をデジタル信号に変換し、そのデジタル信号（画像データＲＤ）を出力する。
【００１３】
画像処理回路３０は、信号処理回路３１、色収差抽出回路３２、絞り制御回路３３を有している。
信号処理回路３１は、画像センサ２０から出力される画像データＲＤを入力し、その画像データＲＤ（入力画像データ）に対して各種画像処理を施し、その処理後の画像データＰＤを色収差抽出回路３２に出力する。また、信号処理回路３１は、処理後の画像データＳＤをメモリ４０に格納する。画像センサ２０が出力する画像データは、たとえばＲＧＢ形式のデータである。各種の画像処理は、例えば、各種の補正処理、変換処理を含む。補正処理は、たとえば、ホワイトバランス調整やゲイン調整や欠陥信号の補正などの前処理、連続した画像（フレーム）間における被写体のずれを補正する手ぶれ補正処理、エッジ強調処理、などである。変換処理は、たとえば、ＲＧＢ形式の画像データをＹＣｂＣｒ形式の画像データに変換する色空間変換処理、所定の符号方式（例えばＪＰＥＧ方式）の画像データに変換する画像圧縮処理、などである。たとえば、画像データＰＤはＲＧＢ形式のデータ、画像データＳＤは画像圧縮処理後のデータである。
【００１４】
また、信号処理回路３１は、入力画像データに基づいて、フォーカス状態を示すＡＦ評価値を算出する。たとえば、信号処理回路３１は、入力画像データから輝度信号を抽出した後に、その輝度信号の画面内における高周波成分を積算し、入力画像データのＡＦ評価値を算出する。ＡＦ評価値は、たとえば入力画像データのコントラスト強度である。
【００１５】
信号処理回路３１のフォーカス制御部３１ａは、ＡＦ評価値に基づいて被写体にピントを合致させるＡＦ制御を実行する。たとえば、撮像光学系１０は、駆動制御部を含み、この駆動制御部は、フォーカス制御部３１ａの出力信号に基づいてアクチュエータ（たとえばステッピングモータ）を駆動して可動レンズ１１ｂの位置を変更する。そして、フォーカス制御部３１ａは、ＡＦ評価値に基づいて合焦位置を検出し、その合焦位置に上記レンズ１１の可動レンズ１１ｂを移動するように制御する。なお、ＡＦ制御としては、例えば公知の山登り方式のＡＦ制御を用いることができる。そして、信号処理回路３１は、ＡＦ位置の位置情報等を含むフォーカス制御情報（ＡＦデータ）ＡＤを出力する。
【００１６】
図６（ｂ）は、画像データＰＤにおけるＡＦ位置の一例を示す。画像データＰＤの値は、図１に示す画像センサ２０の撮像領域（受光領域）に含まれる画素の出力信号に基づいている。その撮像領域（またはファインダーエリア）には、複数（図では１３個）のフォーカスエリア（合焦領域、ＡＦエリア（ＡＦ領域））２０ａが設定されている。なお、図６（ｂ）では、画像データＰＤとフォーカスエリア２０ａとを重ねて、これらの関係を示す。
【００１７】
図１の信号処理回路３１は、フォーカスエリア２０ａに含まれる画素データに基づいて、各フォーカスエリア２０ａにおけるＡＦ評価値を算出する。フォーカス制御部３１ａは、フォーカスエリア２０ａのＡＦ評価値に基づいて、ＡＦ制御する。たとえば、フォーカス制御部３１ａは、複数のフォーカスエリア２０ａのうち、合焦位置の検出が可能または容易な１つのフォーカスエリア２０ａのＡＦ評価値を用いてＡＦ制御を行う。このＡＦ制御に用いたフォーカスエリア２０ａの情報（位置情報）は、フォーカス制御情報ＡＤに含まれる。
【００１８】
色収差抽出回路３２には、信号処理回路３１から画像データＰＤが入力される。色収差抽出回路３２は、画像データＰＤから抽出した色収差ＣＡを出力する。
絞り制御回路３３は、絞り１２のＦ値（Ｆナンバー）を変更する。そして、絞り制御回路３３は、色収差抽出回路３２により抽出された色収差ＣＡに基づいて絞り１２のＦ値を設定する。たとえば、絞り制御回路３３は、色収差ＣＡが最も小さいＦ値を設定する。
【００１９】
レンズ１１を利用した撮像装置１では、光の波長に応じた屈折率に基づき色収差が生じる。
図２に示すように、レンズ１１に白色光Ｌ１を入射する。この白色光Ｌ１は、赤色の波長成分の光ＬＲ、緑色の波長成分の光ＬＧ、青色の波長成分の光ＬＢを含む。レンズ１１の屈折率は、これらの光ＬＲ，ＬＧ，ＬＢの波長に応じて異なる。したがって、画像センサ２０における入射位置（受光位置）は、各光ＬＲ，ＬＧ，ＬＢの波長に応じて異なる。たとえば、各色の光ＬＲ、ＬＧ、ＬＢを含む色（たとえば白色）の被写体のエッジ部分において、各色ＬＲ，ＬＧ，ＬＧのエッジ部分となる画素の位置が異なる。このような画素の位置の差色収差となる。このような色収差は、撮像装置１により得られる画像データにおいて、色のにじみ等として認識される。つまり、画像データにおいて、被写体を細部まで再現することができない、つまり解像度の低下を招く。
【００２０】
そして、色収差は、絞り１２（開口径）によりある程度制御することが可能である。
即ち、図５（ａ）に示すように、絞り１２を開放位置にした場合と、図５（ｂ）に示すように、絞り１２を絞った場合を比較する。つまり、絞り１２のＦ値を変更する。これらの場合、図５（ａ）に示す状態と比べ、図５（ｂ）に示す状態ではレンズ１１の周辺を使用しないため、色収差は小さくなる。つまり、絞り１２のＦ値を開放値から徐々に大きくすると、色収差が減少する。さらに絞り１２を絞ると、回折現象によって色収差は大きくなる。
【００２１】
つまり、図３に示すように、色収差は、絞り１２のＦ値を開放（図において左端）から徐々に大きくすると、色収差は、減少した後に増加する。したがって、絞り１２のＦ値を制御することにより、色収差を最も小さくすることができる。そして、このように色収差を最も小さくするように絞り１２のＦ値を設定することにより、撮像装置１において最適な解像度の画像が得られる。つまり解像度の低下を抑制することができる。
【００２２】
たとえば、各色（赤、緑、青）の光線ＬＲ，ＬＧ，ＬＢを含む色の被写体におけるエッジ部を含む領域の画像データにおいて、エッジと直交する方向における画素の列を考える。そして、このような画素列において、各色の画素における値は、画像センサ２０の画素に入射した光の量に対応する。
【００２３】
たとえば、図４（ａ）は、図２においてＦ値を「Ｖａ」とした場合の画素値の変化を示す。そして、図４（ｂ）は、図２においてＦ値を「Ｖｂ」とした場合の画素値の変化を示す。なお、図４（ａ），図４（ｂ）において、破線は青色の画素における画素値を示し、実線は緑色の画素における画素値を示し、一点鎖線は赤色の画素における画素値を示す。
【００２４】
図１に示すように、色収差抽出回路３２は、抽出ポイント検出部３２ａ、抽出ポイント選択部３２ｂ、色収差抽出部３２ｃを有している。
抽出ポイント検出部３２ａは、画像データＰＤとフォーカス制御情報ＡＤに基づいて、色収差の抽出に適した複数のポイントを検出する。
【００２５】
抽出するポイントは、複数の色情報を含むエッジ部である。色収差は、レンズ１１を通過する光に含まれる色成分における屈折率の差に基づいて生じる結像位置の差である。したがって、被写体のエッジを含む領域（画素列）を抽出ポイントとする。
【００２６】
抽出ポイント検出部３２ａは、上記のＡＦ制御に応じたフォーカス制御情報ＡＤに基づいて、複数の抽出ポイントを検出する。
図６（ｂ）に実線にて示すＡＦ位置は、上記のＡＦ制御に用いたフォーカスエリア２０ａであり、このＡＦ位置に含まれる画像データにより可動レンズ（フォーカスレンズ）１１ｂが合焦位置に制御され、画像のピントは合っている。このようなＡＦ位置に近いエッジは、画素位置に対する画素値の変化が大きく急峻な、所謂エッジが強い部分である。このため、色収差を検出しやすい。このため、抽出ポイント検出部３２ａは、ＡＦ位置に近く、エッジを含む複数の抽出ポイントを検出する。
【００２７】
なお、抽出ポイント検出部３２ａは、画像処理回路３０において検出した手ぶれ量に基づいて抽出ポイントを検出してもよい。たとえば、画像処理回路３０は、短い露光時間で連続的に撮影した複数の画像（フレーム）について、被写体のずれ量（被写体を撮影した画素の位置の差）を手ぶれ量として検出する。手ぶれの小さな場所または画像のエッジは、手ぶれの大きな場所または画像のエッジに比して強い。したがって、手ぶれの小さな抽出ポイントほど色収差を検出しやすい。また、抽出ポイント検出部３２ａは、ＡＦ位置と手ぶれ量に基づいて抽出ポイントを検出してもよい。
【００２８】
抽出ポイント選択部３２ｂは、抽出ポイント検出部３２ａにより検出された複数の抽出ポイントのうちの１つを選択する。
図６（ａ）に示すように、画像データＰＤ（画像センサ２０）の中心から離れるほど、つまり画像の外縁に近づくほど、色収差は顕著になる。このため、画像の中心から離れた抽出ポイントほど色収差を検出しやすい。したがって、抽出ポイント選択部３２ｂは、上記のように、色収差を検出しやすい条件に応じて、複数の抽出ポイントから１つの抽出ポイントを選択する。
【００２９】
色収差抽出部３２ｃは、上記のように選択された抽出ポイントに含まれる画像データに基づいて、色収差ＣＡを抽出する。たとえば、色収差抽出部３２ｃは、抽出ポイントに含まれる各色（赤，緑，青）のエッジ（画素位置）を抽出する。そして、抽出した各色のエッジ（画素位置）に基づいて色収差を算出する。たとえば、白色の被写体のエッジの場合、白色は各色の色成分を含む。このため、色収差抽出部３２ｃは、差分を検出しやすい色（たとえば、赤色と青色）のエッジの差を色収差ＣＡとする。
【００３０】
絞り制御回路３３は、先ず絞り１２を開放とするＦ値を設定し、その状態において色収差抽出回路３２から色収差ＣＡを得る。絞り制御回路３３は、絞り１２を徐々に絞るＦ値を設定し、それぞれに対応する色収差ＣＡを観測する。そして、絞り制御回路３３は、色収差ＣＡが最も小さいＦ値を検出し、そのＦ値を設定する。
【００３１】
たとえば、絞り１２のＦ値を開放から徐々に大きくした場合、色収差ＣＡはＦ値に応じて減少した後、回折現象に応じて増加する。したがって、絞り制御回路３３は、連続的に取得した２つの色収差ＣＡの差を算出し、その差が減少から増加に変化するときのＦ値を検出する。そして、絞り制御回路３３は、検出したＦ値を設定する。
【００３２】
なお、図３に示すように、絞り１２のＦ値に対する色収差の特性において、絞り１２のＦ値の変更に対する色収差の変化が少ない、所謂特性がフラットな部分を含む場合がある。絞り制御回路３３は、このような色収差の特性において、たとえばフラットな部分において小さなＦ値を選択し、その選択したＦ値を設定する。
【００３３】
たとえば、絞り制御回路３３は、レジスタ（記憶部）３３ａを有している。レジスタ３３ａには、判定のためのしきい値が記憶される。絞り制御回路３３は、レジスタ３３ａから読み出したしきい値に基づいて、色収差抽出部３２ｃにより抽出した色収差を判定する。たとえば、絞り制御回路３３は、連続して取得した２つの色収差ＣＡの差を算出する。絞り制御回路３３は、算出した色収差ＣＡの差としきい値とを比較する。そして、絞り制御回路３３は、その比較結果に基づいて、色収差ＣＡが最小値に応じた設定範囲内か否かを判定する。図３に示すように、絞り１２のＦ値を開放値から徐々に大きくすると、色収差ＣＡは徐々に低下し、フラットな部分となる。したがって、色収差ＣＡの差は、徐々に低下するときに対して、フラットな部分では小さくなる。このようなフラットな部分における色収差ＣＡの差に応じてしきい値が設定される。上記の設定範囲の大きさ（最大値、最小値）は、しきい値に応じて変更される。
【００３４】
色収差ＣＡがしきい値以上に減少している場合、絞り制御回路３３は、続いて絞り１２のＦ値を増加させる。色収差ＣＡがしきい値以上に減少しない場合、絞り制御回路３３は、色収差ＣＡがしきい値以上に増加しているか否かを判定する。色収差ＣＡがしきい値以上に増加していない場合、絞り制御回路３３は、続いて絞り１２のＦ値を増加させ、カウント値をカウントアップ（例えば＋１）する。そして、色収差ＣＡがしきい値以上に増加している場合、絞り制御回路３３は、カウント値に応じて減少させたＦ値を設定する。このＦ値は、設定範囲の色収差ＣＡに対応するＦ値のうちの最小の値である。
【００３５】
絞り１２のＦ値の設定は、画像センサ２０における入射光量を設定し、シャッター速度に影響する。たとえば露出に応じてシャッター速度を設定する。この設定の場合、上記のようにＦ値を設定することで、シャッター速度を速くし、手ぶれが少ない画像を得ることができる。
【００３６】
次に、画像処理回路３０における処理の流れを説明する。
図７に示すステップ５１において、設定処理を行う。この設定処理は、たとえば、電源オン時における初期設定、撮影条件等の設定、撮影モードの選択、カウント値のリセット（「０」をセット）、等の処理である。
【００３７】
次に、ステップ５１において、ステップ５１において選択された撮影モードが解像度優先モードか否かを判定する。撮影モードが解像度優先モードの場合（判定：ＹＥＳ）、次のステップ５３へ移行する。
【００３８】
ステップ５３において、フォーカス制御（ＡＦ制御）を行う。
次に、ステップ５４において、色収差ＣＡの抽出が容易な抽出ポイントを選択する。つまり、このステップ５４において、上記のフォーカス制御の情報（フォーカス制御情報ＡＤ）に基づいて、画像データＰＤから色収差を抽出する色収差検出位置として、色収差を検出（抽出）しやすいポイントを複数抽出する。そして、複数の抽出ポイントのうちの１つの抽出ポイントを、画像データＰＤの中心からの距離に基づいて選択する。
【００３９】
次に、ステップ５５において、Ｆ値が最小の状態で、選択した抽出ポイントの色収差ＣＡを取得する。
次いで、ステップ５６において、Ｆ値を１段増やし、色収差を取得する。
【００４０】
そして、ステップ５７において、色収差ＣＡが前段の色収差ＣＡよりしきい値以上小さいか否かを判定する。しきい値以上小さい場合（判定：ＹＥＳ）、色収差ＣＡが減少しているため、ステップ５６に移行してＦ値を１段増やし、色収差を取得する。色収差ＣＡが前段よりしきい値以上小さくない場合（判定：ＮＯ）、次のステップ５８へ移行する。
【００４１】
ステップ５８において、色収差ＣＡが前段の色収差ＣＡよりしきい値以上大きいか否かを判定する。しきい値以上大きくない場合（判定：ＮＯ）、色収差ＣＡは設定範囲内である。このため、カウント値をカウントアップし、ステップ５６に移行してＦ値を１段増やし、色収差を取得する。色収差ＣＡが前段よりしきい値以上大きい場合（判定：ＮＯ）、次のステップ５９へ移行する。
【００４２】
ステップ５９において、カウント値に応じてＦ値を設定する。たとえば、Ｆ値をカウント値＋１段減少させ、そのＦ値を設定する。このように設定されたＦ値は、上記の設定範囲の色収差ＣＡに対応するＦ値のうちの最小の値である。
【００４３】
そして、ステップ６０において、撮影処理を行う。この撮影処理において、設定されたＦ値に応じて図１に示す画像センサ２０から出力される画像データＲＤを処理して生成した画像データＳＤをメモリ４０に格納する。
【００４４】
上記のステップ５２において、撮影モードが解像度優先モード以外（露出優先モード、シャッター速度優先モード等）の場合（判定：ＮＯ）、ステップ７０に移行し、選択された撮影モードに応じた処理を行う。たとえば、露出優先モードの場合、選択された露出（Ｆ値）に応じてシャッター速度を設定し、フォーカス制御を行う。そして、ステップ６０へ移行し、撮影処理を行う、つまり画像データＳＤをメモリ４０に格納する。
【００４５】
次に、上記の撮像装置１（画像処理回路３０）の作用を説明する。
撮像装置１の画像処理回路３０は、信号処理回路３１と色収差抽出回路３２と絞り制御回路３３とを有している。色収差抽出回路３２は、画像データＰＤから抽出した色収差ＣＡを出力する。絞り制御回路３３は、色収差抽出回路３２から出力される色収差ＣＡに基づいて絞り１２のＦ値（Ｆナンバー）を設定する。たとえば、絞り制御回路３３は、色収差ＣＡが最も小さいＦ値を設定する。
【００４６】
たとえば、従来の撮像装置の場合、露出優先モードを選択することで、ユーザが絞りのＦ値を選択することができる。このため、ユーザがＦ値を調整することで、色収差を少なくすることは可能である。しかし、絞りを開きすぎるとレンズの周辺の性能が落ちる領域を使うため解像度が下がる。一方、絞りすぎると光の回折現象が顕著になり、解像度が下がる。そして、調整による解像度は、カメラに付属する表示装置では判りにくい。このため、Ｆ値の調整に手間と経験を必要としていた。
【００４７】
これに対し、上記の撮像装置１は、画像データＰＤから取得した色収差ＣＡを用いて絞り１２のＦ値を調整する。したがって、ユーザにとって、撮像装置１により絞り１２のＦ値が自動的に調整される。このように調整されたＦ値の絞り１２を用いて得られる画像データＳＤは、色収差ＣＡが少ない。したがって、解像度が高い画像データＳＤが容易に得られる。
【００４８】
また、上記の撮像装置１は、画像センサ２０から出力される画像データＲＤを処理して生成した画像データＰＤに基づいて色収差ＣＡを抽出し、その色収差ＣＡに基づいて絞り１２のＦ値を調整する。したがって、絞り１２のＦ値が制御可能な撮像光学系１０であればよく、交換レンズのように撮像光学系１０が交換された場合でも高い解像度の画像データＳＤが得られる。
【００４９】
以上記述したように、本実施形態によれば、以下の効果を奏する。
（１）撮像装置１の画像処理回路３０は、信号処理回路３１と色収差抽出回路３２と絞り制御回路３３とを有している。色収差抽出回路３２は、画像データＰＤから抽出した色収差ＣＡを出力する。絞り制御回路３３は、絞り１２のＦ値（Ｆナンバー）を変更する。そして、絞り制御回路３３は、色収差抽出回路３２により抽出された色収差ＣＡに基づいて絞り１２のＦ値を設定する。たとえば、絞り制御回路３３は、色収差ＣＡが最も小さいＦ値を設定する。
【００５０】
したがって、撮像装置１は、画像データＰＤから取得した色収差ＣＡを用いて絞り１２のＦ値を調整する。したがって、ユーザにとって、撮像装置１により絞り１２のＦ値が自動的に調整される。このように調整されたＦ値の絞り１２を用いて得られる画像データＳＤは、色収差ＣＡが少ない。したがって、解像度が高い画像データＳＤを容易に得ることができる。
【００５１】
（２）撮像装置１は、画像センサ２０から出力される画像データＲＤを処理して生成した画像データＰＤに基づいて色収差ＣＡを抽出し、その色収差ＣＡに基づいて絞り１２のＦ値を調整する。したがって、絞り１２のＦ値が制御可能な撮像光学系１０であればよく、交換レンズのように撮像光学系１０が交換された場合でも高い解像度の画像データＳＤを得ることができる。
【００５２】
尚、上記実施形態は、以下の態様で実施してもよい。
・上記の撮像装置１は、静止画と動画を撮影する機能を有するデジタルビデオカメラ等に具体化してもよい。
【００５３】
・図１に示す画像センサ２０は、制御に必要なレンズを概略的に示すものであり、上記の構成に限定されない。例えば、ズーム機能を有するレンズ部、等の複数のレンズ群を備えるレンズ部に具体化してもよい。
【００５４】
・たとえば、図３に示す特性の撮像光学系において、検出した色収差に応じて設定する絞り１２のＦ値を、変更可能としてもよい。たとえば、図１に示すレジスタ３３ａに設定を記憶する。設定する情報は、たとえば、「開放」「中間」「絞り込み」などである。たとえば「絞り込み」を選択した場合、絞り１２を絞り込むように制御することで、上記実施形態と同程度の解像度であり、被写界深度が深い画像を得ることができる。
【００５５】
なお、Ｆ値の設定を、たとえばシャッター速度や撮影モード（風景や人物などの被写体の選択）に応じて開放側や絞り込み側などのように調整するようにしてもよい。
【符号の説明】
【００５６】
１  撮像装置
１０  撮像光学系
１１  レンズ
１２  絞り
３０  画像処理回路（画像処理装置）
３１  信号処理回路
３２  色収差抽出回路
３３  絞り制御回路
ＰＤ  画像データ
ＡＤ  フォーカス制御情報
ＣＡ  色収差
【図１】
2015220634.tif 000003
【図２】
2015220634.tif 000004
【図３】
2015220634.tif 000005
【図４】
2015220634.tif 000006
【図５】
2015220634.tif 000007
【図６】
2015220634.tif 000008
【図７】
2015220634.tif 000009